(57)【要約】【課題】ユーザーが特別な操作をすることなく、各映像コンテンツ毎に適切な画質調整を行うことができる画質調整機能を有する画質調整装置、並びに、それを備えた映像表示装置及び映像再生装置を提供する。【解決手段】画質調整装置Ｔは、映像コンテンツのタイトル毎に画質に関する各パラメータが設定された画質調整情報Ｇを、それらが保管された外部サーバ２０から取得する画質調整情報取得手段Ｄと、画質調整情報取得手段Ｄが取得した画質調整情報Ｇを蓄積する画質調整情報蓄積部１６と、画質調整情報蓄積部１６から選択した映像コンテンツの画質調整情報Ｇに基づき表示映像の画質を調整する画質調整部１５と、を備える。【選択図】図１
2012015877.tif 000002
【特許請求の範囲】
【請求項１】
映像コンテンツのタイトル毎に画質に関する各パラメータが設定された画質調整情報を、それらが保管された外部サーバから取得する画質調整情報取得手段と、
上記画質調整情報取得手段が取得した画質調整情報を蓄積する画質調整情報蓄積部と、
上記画質調整情報蓄積部から選択した映像コンテンツの画質調整情報に基づき表示映像の画質を調整する画質調整部と、
を備えたことを特徴とする画質調整装置。
【請求項２】
請求項１に記載された画質調整装置において、
映像コンテンツの画質の調整に関する各パラメータを手作業で入力して当該映像コンテンツの画質調整情報を設定可能な画質調整情報作成手段と、
上記画質調整情報作成手段により入力された画質調整情報を外部サーバにアップロードする画質調整情報アップロード手段と、
をさらに備えたことを特徴とする画質調整装置。
【請求項３】
請求項１または２に記載された画質調整装置において、
上記画質調整情報取得手段は、インターネットを介して上記外部サーバにアクセスすることにより上記画質調整情報を取得し、上記画質調整情報蓄積部に該画質調整情報を蓄積することを特徴とする画質調整装置。
【請求項４】
請求項１または２に記載された画質調整装置において、
上記画質調整情報取得手段は、上記外部サーバからインターネットを介してＰＣ端末またはモバイル端末に上記画質調整情報をダウンロードした後、記憶媒体を介して上記画質調整情報蓄積部に該画質調整情報を蓄積することを特徴とする画質調整装置。
【請求項５】
請求項１または２に記載された画質調整装置において、
上記画質調整情報取得手段は、上記外部サーバからインターネットを介してＰＣ端末またはモバイル端末に上記画質調整情報をダウンロードした後、有線通信により上記画質調整情報蓄積部に該画質調整情報を蓄積することを特徴とする画質調整装置。
【請求項６】
請求項１または２に記載された画質調整装置において、
上記画質調整情報取得手段は、上記外部サーバからインターネットを介してＰＣ端末またはモバイル端末に上記画質調整情報をダウンロードした後、無線通信により上記画質調整情報蓄積部に該画質調整情報を蓄積することを特徴とする画質調整装置。
【請求項７】
請求項１〜６のいずれかに記載された画質調整装置において、
上記映像コンテンツは、映画またはドラマのジャンルに属することを特徴とする画質調整装置。
【請求項８】
請求項１〜７のいずれかに記載された画質調整装置と、
上記画質調整部で画質が調整された映像コンテンツを表示する映像表示部と、
を備えたことを特徴とする映像表示装置。
【請求項９】
請求項８に記載された映像表示装置において、
テレビジョン放送波を受信する放送受信部をさらに備え、該放送受信部で受信した映像コンテンツを上記映像表示部において表示することを特徴とする映像表示装置。
【請求項１０】
映像コンテンツを再生する再生部と、
上記再生部で再生された映像コンテンツの画質の調整を行う請求項１〜７のいずれかに記載された画質調整装置と、
を備えたことを特徴とする映像再生装置。
【請求項１１】
請求項１０に記載された映像再生装置において、
上記再生部において光ディスクに記録された映像コンテンツを再生することを特徴とする映像再生装置。
【発明の詳細な説明】
【技術分野】
【０００１】
本発明は、自動的に表示映像の画質の調整を行うことが可能な画質調整装置、並びに、それを備えた映像表示装置及び映像再生装置に関する。
【背景技術】
【０００２】
多くのテレビには画質調整機能が搭載されている。そして、各映像コンテンツ毎に、コントラスト、明るさ、色温度、シャープネス、動き補正、ノイズリダクション（ノイズ除去）等を任意に設定して好みの画質でその映像コンテンツを楽しむことができる。
【０００３】
例えば、全体的に暗いサスペンス映画であれば、ガンマ値を低階調部がはっきり表示できる値に設定にし、コントラストを黒レベルにし、色温度を低めにし、ノイズ除去を控え目にすることができる。フルＣＧのアニメ映画であれば、コントラストが強め、及びシャープネスが強めの設定にすることができる。プロ野球中継ナイターであれば、コントラストが強め、ノイズ除去が強め、動き補正が強め、及びシャープネスが強めの設定にすることができる。料理番組であれば、コントラストが強め、色温度が低め、及びシャープネスが強めの設定にすることができる。
【０００４】
しかしながら、多くのユーザーが、画質調整機能を知らない、画質調整の操作が難しい、どのように調整したら好ましい画質となるのか分からない、などの理由で、出荷状態の設定のままテレビを視聴しているのが現状である。また、ユーザーが画質調整機能を使って任意の画質に設定をした場合でも、視聴する映像コンテンツ毎に、また、テレビのチャンネルを変える毎に、画質調整の操作を行うのは面倒であり、たいていの場合、１つの設定で全ての映像コンテンツを視聴することとなってしまう。そのため、画質調整機能が十分に活かされていない問題がある。
【０００５】
特許文献１には、所定のプログラムの画像データを受信して処理する画像処理装置において、ユーザーが選択するプログラムの画像データを抽出する抽出手段と、抽出したプログラムに関連する関連情報を取得する取得手段と、関連情報に応じてプログラムの画像の表示を制御する制御パラメータを設定する設定手段と、を備えた構成が開示されている。そして、この構成によれば、複雑な操作をすることなく、簡単に、最適な画質で番組を視ることができると記載されている。
【先行技術文献】
【特許文献】
【０００６】
【特許文献１】特開２００１−３２６８７５号公報
【発明の概要】
【発明が解決しようとする課題】
【０００７】
ところが、特許文献１に記載の画像処理装置では、画像処理によって画質の調整を行うので、その映像コンテンツにとって最適な画質調整が行われているとは限らない。また、視聴するユーザーにとって最適な画質調整が行われているとも限らない。
【０００８】
本発明は、ユーザーが特別な操作をすることなく、各映像コンテンツ毎に適切な画質調整を行うことができる画質調整機能を有する画質調整装置、並びに、それを備えた映像表示装置及び映像再生装置を提供することを目的とする。
【課題を解決するための手段】
【０００９】
本発明の画質調整装置は、映像コンテンツのタイトル毎に画質に関する各パラメータが設定された画質調整情報を、それらが保管された外部サーバから取得する画質調整情報取得手段と、
上記画質調整情報取得手段が取得した画質調整情報を蓄積する画質調整情報蓄積部と、
上記画質調整情報蓄積部から選択した映像コンテンツの画質調整情報に基づき表示映像の画質を調整する画質調整部と、
を備えたことを特徴とする。
【００１０】
上記の構成によれば、画質調整部が、映像コンテンツのタイトル毎に画質に関する各パラメータが設定された画質調整情報に基づいて映像の画質の調整を行うので、ユーザーが特別な操作をすることなく、各映像コンテンツ毎に適切な画質調整を行うことができる。また、画質調整情報が保管された外部サーバから画質調整情報取得手段により画質調整情報を取得することにより、画質調整装置内の画質調整情報蓄積部に蓄積されたデータを更新することができるので、新規な映像コンテンツに対しても自動的に画質の調整を行うことができる。
【００１１】
本発明の画質調整装置は、映像コンテンツの画質の調整に関する各パラメータを手作業で入力して当該映像コンテンツの画質調整情報を設定可能な画質調整情報作成手段と、
上記画質調整情報作成手段により入力された画質調整情報を外部サーバにアップロードする画質調整情報アップロード手段と、
をさらに備えたことが好ましい。
【００１２】
上記の構成によれば、画質調整の操作に慣れたハイエンドユーザーが自ら画質の調整を行うことにより、画質調整情報作成手段により、視聴している映像コンテンツに画質調整に関する各パラメータを含めた画質調整情報を作成することができる。ハイエンドユーザーは、作成した画質調整情報を外部サーバにアップロードすることで、他のユーザーとの間でその画質調整情報を共有することができる。このため、画質調整情報がまだ作成されていない映像コンテンツであっても、ハイエンドユーザーが作成した画質調整情報で補填していくことが可能である。また、複数のハイエンドユーザーが、ある映像コンテンツに対して各々が最適だと考える画質調整情報を作成して外部サーバにアップロードすることにより、外部サーバ上には１つの映像コンテンツに対して複数の画質調整情報が存在することとなるが、他のユーザーは、この複数の画質調整情報の中から、より自分の好みに合った画質調整情報を選択して映像コンテンツを楽しむことができる。
【００１３】
本発明の画質調整情報取得手段は、インターネットを介して上記外部サーバにアクセスすることにより画質調整情報を取得し、画質調整情報蓄積部に画質調整情報を蓄積してもよい。
【００１４】
また、本発明の画質調整情報取得手段は、外部サーバからインターネットを介してＰＣ端末またはモバイル端末に画質調整情報をダウンロードした後、記憶媒体を介して画質調整情報蓄積部に当該画質調整情報を蓄積してもよい。
【００１５】
また、本発明の画質調整情報取得手段は、外部サーバからインターネットを介してＰＣ端末またはモバイル端末に画質調整情報をダウンロードした後、有線通信により画質調整情報蓄積部に当該画質調整情報を蓄積してもよい。
【００１６】
また、本発明の画質調整情報取得手段は、外部サーバからインターネットを介してＰＣ端末またはモバイル端末に画質調整情報をダウンロードした後、無線通信により画質調整情報蓄積部に当該画質調整情報を蓄積してもよい。
【００１７】
本発明の画質調整装置は、映像コンテンツのタイトル毎に画質に関する各パラメータが設定された画質調整情報に基づいて表示映像の画質の調整を行うので、映像コンテンツが映画またはドラマのジャンルに属する場合に好適である。
【００１８】
本発明の映像表示装置は、上記の本発明の画質調整装置と、
上記画質調整部で画質が調整された映像コンテンツを表示する映像表示部と、
を備えたことを特徴とする。
【００１９】
本発明の映像表示装置は、テレビジョン放送波を受信する放送受信部をさらに備え、該放送受信部で受信した映像コンテンツを上記映像表示部において表示することが好ましい。
【００２０】
本発明の映像再生装置は、映像コンテンツを再生する再生部と、
上記再生部で再生された映像コンテンツの画質の調整を行う、上記の本発明の画質調整装置と、
を備えたことを特徴とする。
【００２１】
本発明の映像再生装置は、上記再生部において光ディスクに記録された映像コンテンツを再生するものであってもよい。
【発明の効果】
【００２２】
本発明によれば、画質調整部が、映像コンテンツのタイトル毎に画質に関する各パラメータが設定された画質調整情報に基づいて表示映像の画質の調整を行うので、ユーザーが特別な操作をすることなく、各映像コンテンツ毎に適切な画質調整を行うことができる。
【図面の簡単な説明】
【００２３】
【図１】実施形態１にかかる映像表示装置のシステムを示すブロック図である。
【図２】画質調整情報の具体例である。
【図３】実施形態１にかかる画質調整装置の画質調整の工程を示すフローチャートである。
【図４】実施形態１の変形例１にかかる映像表示装置のシステムを示すブロック図である。
【図５】実施形態１の変形例２にかかる映像表示装置のシステムを示すブロック図である。
【図６】実施形態１の変形例３にかかる映像表示装置のシステムを示すブロック図である。
【図７】実施形態２にかかる映像表示装置のシステムを示すブロック図である。
【図８】画質調整情報作成及び画質調整情報アップロード時のイメージ図である。
【図９】画質調整情報の具体例である。
【図１０】映像表示部において複数の画質調整情報が存在することを視聴ユーザーに示すイメージ図である。
【図１１】実施形態３にかかる映像再生装置のシステムを示すブロック図である。
【図１２】実施形態３にかかる画質調整装置の画質調整の工程を示すフローチャートである。
【図１３】実施形態３の変形例４にかかる映像再生装置のシステムを示すブロック図である。
【図１４】実施形態３の変形例５にかかる映像再生装置のシステムを示すブロック図である。
【発明を実施するための形態】
【００２４】
以下、本発明の実施の形態について、図面を参照して詳細に説明する。なお、本発明は以下の実施形態に限定されるものではない。
【００２５】
《実施形態１》
図１は、実施形態１にかかる映像表示装置１０のシステムを示すブロック図である。
【００２６】
映像表示装置１０は、例えば、テレビジョン放送のデジタル放送波を受信して表示を行うテレビジョン受信機である。
【００２７】
映像表示装置１０は、デジタル放送波を受信する放送受信部１１と、受信したデジタル放送波の符号を復号化するデコード部１２と、デコード部１２で復号された音声データや映像データ等の処理を行う画像エンジン１３と、画像エンジン１３で処理されて構成された映像を表示する映像表示部１４と、映像表示部１４で表示する映像の画質の調整を行う画質調整装置Ｔと、を備える。
【００２８】
放送受信部１１は、地上デジタルテレビ放送、ＢＳ（Ｂｒｏａｄｃａｓｔｉｎｇ  Ｓａｔｅｌｌｉｔｅ）放送、ＣＳ（Ｃｏｍｍｕｎｉｃａｔｉｏｎｓ  Ｓａｔｅｌｌｉｔｅ）放送等のデジタル放送波を受信する。デジタル放送波は、映像表示装置１０で表示する映像コンテンツの映像データや音声データ、コンテンツ情報等を含んでいる。コンテンツ情報は、映像コンテンツの番組の属するジャンル等の情報を含んでいる。なお、放送受信部１１は、デジタル放送波を受信する他、ケーブル回線や光ファイバ回線を経由してデジタル放送を受信するものであってもよい。
【００２９】
放送受信部１１で受信された映像コンテンツの信号は、デコード部１２において復号され、このとき、映像データ、音声データ、コンテンツ情報等のデータが生成される。これらのデータは、画像エンジン１３に送られる。
【００３０】
デコード部１２から送られた映像データ、音声データ等のデータは、画像エンジン１３においてデータ処理されて映像が構成される。画像エンジン１３には、画質調整装置Ｔを構成する画質調整部１５が設けられているが、この画質調整部１５については後述する。
【００３１】
画像エンジン１３で構成された映像は、映像表示部１４に送られて、当該映像コンテンツの映像表示が行われる。映像表示部１４は、液晶ディスプレイであっても、プラズマディスプレイであっても、有機ＥＬディスプレイであっても、ＣＲＴディスプレイであっても、その他のディスプレイであってもよい。
【００３２】
画質調整装置Ｔは、画像エンジン１３内に設けられた画質調整部１５と、画像エンジン１３の外部に設けられ画質調整情報Ｇを蓄積する画質調整情報蓄積部１６と、画質調整情報Ｇを外部サーバ２０より取得する画質調整情報取得手段Ｄと、を備える。
【００３３】
画質調整部１５は、表示される映像の画質の調整を行う。具体的には、明るさ、コントラスト、色相、ＲＧＢゲインまたは色温度、ガンマ補正、黒レベル、シャープネス、ノイズ補正の強度等の各パラメータの調整を行う。画質調整部１５においては、ユーザーが映像表示部１４を視認しながら手動で各パラメータの調整を行うことができる。また、各パラメータが設定された画質調整情報Ｇが画質調整部１５に入力されることにより自動的に各パラメータを調整することも可能である。
【００３４】
画質調整情報蓄積部１６は、各パラメータが設定された画質調整情報Ｇをデータベース化して保管する機能を有する。画質調整情報蓄積部１６に保管される画質調整情報Ｇとしては、映像コンテンツのタイトル毎に画質に関する各パラメータが設定された画質調整情報Ｇや、映像コンテンツのジャンル毎に画質に関する各パラメータが設定された画質調整情報Ｇが挙げられる。
【００３５】
画質調整情報取得手段Ｄは、外部サーバ２０から画質調整情報Ｇをダウンロードして画質調整情報蓄積部１６に保管したり、ダウンロードした画質調整情報Ｇを画質調整部１５に送ったりする手段である。
【００３６】
映像表示装置１０はインターネットに接続されており、画質調整情報取得手段Ｄは、インターネットを介して外部サーバ２０へアクセス可能である。映像表示装置１０は、インターネットには、常時接続されていてもよく、必要に応じて接続されていてもよい。
【００３７】
映像表示装置１０がインターネットに常時接続されている場合、画質調整情報取得手段Ｄは、外部サーバ２０に新たな画質調整情報Ｇが保管される毎に画質調整情報蓄積部１６にダウンロードしてもよい。また、一定の時間毎に更新された画質調整情報Ｇをダウンロードしてもよい。また、ユーザーが指定した任意の画質調整情報Ｇのみをユーザーの操作に従ってダウンロードしてもよい。映像表示装置１０がインターネットに常時接続されていない場合には、接続するタイミング毎に外部サーバ２０に新たに保管された画質調整情報Ｇをまとめてダウンロードしてもよい。また、ユーザーが指定した任意の画質調整情報Ｇのみをユーザーの操作に従ってダウンロードしてもよい。
【００３８】
画質調整情報Ｇとしては、映像コンテンツのタイトル毎に画質に関する各パラメータが設定されたものや、映像コンテンツのジャンル毎に画質に関する各パラメータが設定されたものがある。画質調整情報Ｇに設定される各パラメータとしては、例えば、明るさ、コントラスト、色相、ＲＧＢゲインまたは色温度、ガンマ補正、黒レベル、シャープネス、ノイズ補正の強度等が挙げられ、画質調整情報Ｇにはこれらのパラメータのうち１つのパラメータについて規定されていてもよく、複数のパラメータについて規定されていてもよい。
【００３９】
画質調整情報Ｇのファイル形式は、ＸＭＬ形式であっても、データ内容だけが羅列されたテキストファイル形式であっても、その他の形式であってもよい。画質調整情報Ｇは、例えば、ＵＴＦ−８，Ｓｈｉｆｔ−ＪＩＳ，ＥＵＣ−ＪＰ等の文字コードで記述されている。画質調整情報Ｇは、データ全体またはデータの一部が圧縮されたバイナリデータとして扱ってもよい。
【００４０】
図２は、画質調整情報Ｇの一例を示す。この画質調整情報ＧはＸＭＬ形式で記載され、画質調整情報Ｇ作成者（ａｕｔｈｏｒ）が「スタジオへぐり」、タイトル（ｔｉｔｌｅ）が「崖っぷちのぷにょ」である映像コンテンツに対して、明るさ（ｂｒｉｇｈｔｎｅｓｓ）、シャープネス（ｓｈａｒｐｎｅｓｓ）、黒レベル（ｂｌａｃｋｌｅｖｅｌ）、及び、色温度（ｃｏｌｏｒｔｅｍｐｅｒａｔｕｒｅ）のそれぞれについてパラメータが規定されている。
【００４１】
画質調整情報Ｇが例えばＸＭＬ形式である場合には、外部サーバ２０からＨＴＴＰプロトコル等の送受信プロトコルで画質調整情報Ｇが受信される。そして、マイコン（不図示）においてＸＭＬの構文解析が行われ、画質に関する各パラメータが取り出されて画質の調整が行われる。
【００４２】
画質調整情報Ｇには、初期設定時に予め画質調整情報蓄積部１６に保管されているものと、新たに画質調整情報蓄積部１６に蓄積され保管されるものとが存在する。画質調整情報Ｇのうち、新たに画質調整情報蓄積部１６に蓄積される画質調整情報Ｇは、映像コンテンツの制作者や、放送事業者、映像表示装置１０の発売元等によって作成され、ネットワーク上の外部サーバ２０に保管されている画質調整情報Ｇが、画質調整装置Ｔの画質調整情報取得手段Ｄにより取得されたものである。なお、外部サーバ２０の提供元としては、例えば、放送局、映像表示装置１０の発売元や、それらから依頼されたサービス提供会社等が挙げられる。
【００４３】
上記の構成の映像表示装置１０内に設けられた画質調整装置Ｔにおける画質調整の手順について、図３に示すフローチャートを用いて説明する。
【００４４】
まず、ステップＳ１において、放送受信部１１でデジタル放送波を受信する。このデジタル放送波は、ステップＳ２においてデコード部１２で復号され、映像データ、音声データ、コンテンツ情報等のデータが生成される。そして、デコード部１２で生成された各データは画像エンジン１３に送られて、ステップＳ３において、データ処理されて映像が構成され、その映像が映像表示部１４で表示されると同時に、コンテンツ情報からタイトルやジャンル等の情報が画質調整部１５に読み込まれる。
【００４５】
コンテンツ情報が画質調整部１５に読み込まれると、ステップＳ４において、画質調整部１５が画質調整情報蓄積部１６を参照し、ステップＳ５において、同一タイトルの画質調整情報Ｇが保管されているかどうかを調べる。同一タイトルの画質調整情報Ｇが存在する場合には、画質調整部１５において、当該画質調整情報Ｇに基づいて映像コンテンツの画質の調整を行う（ステップＳ６）。
【００４６】
ステップＳ５において、画質調整情報蓄積部１６に同一タイトルの画質調整情報Ｇが存在しない場合には、映像表示装置１０がインターネットに接続されているかどうかを調べる（ステップＳ７）。映像表示装置１０がインターネットに接続されており画質調整情報取得手段Ｄが有効に作動する状態であれば、ステップＳ８において、外部サーバ２０を参照し、ステップＳ９において、同一タイトルの画質調整情報Ｇが外部サーバ２０に保管されているかどうかを調べる。
【００４７】
ステップＳ９において、同一タイトルの画質調整情報Ｇが外部サーバ２０に存在する場合には、画質調整情報取得手段Ｄにより（すなわち、インターネットを介して）当該画質調整情報Ｇをダウンロードし、その画質調整情報Ｇに基づいて映像コンテンツの画質の調整を行う（ステップＳ１０）。
【００４８】
ステップＳ９において、外部サーバ２０に同一タイトルの画質調整情報Ｇが存在しない場合には、ステップＳ１１において、再度、画質調整情報蓄積部１６を参照し、ステップＳ１２において、同一ジャンルの画質調整情報Ｇが保管されているかどうかを調べる。同一タイトルの画質調整情報Ｇが存在する場合には、画質調整部１５において、当該画質調整情報Ｇに基づいて映像コンテンツの画質の調整を行う（ステップＳ１３）。なお、このとき同一ジャンルの画質調整情報Ｇが存在しなかった場合には、画質の調整は行われない（ステップＳ１４）。
【００４９】
一方、ステップＳ７において、インターネットの接続が切断されていて画質調整情報取得手段Ｄが機能しない状態の時には、ステップＳ１１において、再度、画質調整情報蓄積部１６を参照し、ステップＳ１２において、同一ジャンルの画質調整情報Ｇが保管されているかどうかを調べる。同一タイトルの画質調整情報Ｇが存在する場合には、画質調整部１５において、当該画質調整情報Ｇに基づいて映像コンテンツの画質の調整を行う（ステップＳ１３）。なお、このとき同一ジャンルの画質調整情報Ｇが存在しなかった場合には、画質の調整は行われない（ステップＳ１４）。
【００５０】
（実施形態１の効果）
本実施形態の画質調整装置Ｔを備えた映像表示装置１０によれば、ユーザーが特別な操作をすることなく自動的に表示する映像の画質調整を行うことができる。
【００５１】
また、ユーザーがチャンネルを変えた時でも、自動的に、表示する映像コンテンツの画質調整情報Ｇに基づいて画質の調整を行うことができるので、ユーザーは、チャンネル変更以外の操作を行うことなく、高画質の映像を楽しむことができる。
【００５２】
また、受信する映像コンテンツが新番組、ニュース番組、生放送番組、等であって画質調整情報Ｇが存在しない場合であっても、画質調整情報蓄積部１６に、ジャンル毎に規定された画質調整情報Ｇが保管されており、ジャンル毎の画質調整情報Ｇに基づいて画質調整を行うことができる。
【００５３】
（実施形態１の変形例）
実施形態１では、映像表示装置１０がインターネットに直接接続可能に設定されているとして説明したが、映像表示装置１０は直接インターネットに接続されていなくてもよい。その場合、図４の変形例１に示すように、画質調整情報取得手段Ｄは、インターネットに接続されたパソコン端末３０から外部サーバ２０にアクセスすることにより、パソコン端末３０に画質調整情報Ｇをダウンロードし、ダウンロードした画質調整情報Ｇを、例えば、ＳＤカード、ＵＳＢメモリ、ＣＤ−ＲＯＭ等の記憶媒体を介して映像表示装置１０に読み込ませることにより、画質調整情報Ｇを取得することができる。
【００５４】
なお、画質調整情報取得手段Ｄにおいて、パソコン端末３０にダウンロードした画質調整情報Ｇを映像表示装置１０に読み込ませる手段としては、記憶媒体を用いる他、有線通信や無線通信を介して読み込ませてもよい。有線通信としては、例えば、ＵＳＢケーブルやＬＡＮケーブル等が挙げられる。また、無線通信としては、例えば、Ｗｉ−Ｆｉ（Ｗｉｒｅｌｅｓｓ  Ｆｉｄｅｌｉｔｙ）や赤外線、Ｂｌｕｅｔｏｏｔｈ（登録商標）等が挙げられる。
【００５５】
また、映像表示装置１０は、図５の変形例２に示すように、画質調整情報取得手段Ｄは、インターネットに接続されたモバイル端末４０から外部サーバ２０にアクセスすることにより、モバイル端末４０に画質調整情報Ｇをダウンロードし、ダウンロードした画質調整情報Ｇを、記憶媒体、有線通信、無線通信等を介して映像表示装置１０に読み込ませることにより、画質調整情報Ｇを取得することができる。モバイル端末４０としては、例えば、携帯電話やＰＤＡ（Ｐｅｒｓｏｎａｌ  Ｄｉｇｉｔａｌ  Ａｓｓｉｓｔａｎｔ）等が挙げられる。モバイル端末４０が携帯電話である場合、映像表示装置１０は、３ＧネットワークやＰＨＳ、ＷｉＭＡＸ、ＧＳＭ等を介して画質調整情報Ｇを取得してもよい。
【００５６】
さらに、図６の変形例３に示すように、放送受信部１１で受信するデジタル放送波のデータの一部として画質調整情報Ｇが含まれていてもよい。この場合、画質調整情報蓄積部１６を参照することなく、直接、画質調整情報Ｇが画質調整部１５に送られることにより、その映像コンテンツの画質調整が行われる。
【００５７】
《実施形態２》
図７は、実施形態２にかかる映像表示装置１０のシステムを示すブロック図である。なお、他の実施形態と同一の構成及び対応する構成については同一の参照符号を用いて説明する。
【００５８】
映像表示装置１０は、例えば、テレビジョン放送のデジタル放送波を受信して表示を行うテレビジョン受信機である。
【００５９】
映像表示装置１０は、デジタル放送波を受信する放送受信部１１と、受信したデジタル放送波の符号を復号化するデコード部１２と、デコード部１２で復号された音声データや映像データ等の処理を行う画像エンジン１３と、画像エンジン１３で処理されて構成された映像を表示する映像表示部１４と、映像表示部１４で表示する映像の画質の調整を行う画質調整装置Ｔと、を備える。放送受信部１１、デコード部１２、画像エンジン１３、及び映像表示部１４については、実施形態１と同一の構成であるので、詳細な説明を省略する。
【００６０】
画質調整装置Ｔは、画像エンジン１３内に設けられた画質調整部１５と、画像エンジン１３の外部に設けられ画質調整情報Ｇを蓄積する画質調整情報蓄積部１６と、画質調整情報Ｇを外部サーバ２０より取得する画質調整情報取得手段Ｄと、画質調整情報Ｇを作成する画質調整情報作成手段と、作成した画質調整情報Ｇを外部サーバ２０にアップロードする画質調整情報アップロード手段Ｕと、を備える。
【００６１】
画質調整部１５は、表示される映像の画質の調整を行う。具体的には、明るさ、コントラスト、色相、ＲＧＢゲインまたは色温度、ガンマ補正、黒レベル、シャープネス、ノイズ補正の強度等の各パラメータの調整を行う。画質調整部１５においては、ユーザーが映像表示部１４を視認しながら手動で各パラメータの調整を行うことができる。また、各パラメータが設定された画質調整情報Ｇが画質調整部１５に入力されることにより自動的に各パラメータを調整することも可能である。
【００６２】
画質調整情報蓄積部１６は、各パラメータが設定された画質調整情報Ｇをデータベース化して保管する機能を有する。
【００６３】
画質調整情報取得手段Ｄは、外部サーバ２０から画質調整情報Ｇをダウンロードして画質調整情報蓄積部１６に保管したり、ダウンロードした画質調整情報Ｇを画質調整部１５に送ったりする手段である。
【００６４】
画質調整情報作成手段は、リモコン１７等を用いて画質調整部１５に手作業で入力された各パラーメータの値と、映像表示部１４で表示中の映像コンテンツのコンテンツ情報とを総合して画質調整情報Ｇを作成する。
【００６５】
画質調整アップロード手段Ｕは、画質調整情報作成手段で作成された画質調整情報Ｇを外部サーバ２０にアップロードする手段である。図８は、画質調整情報Ｇを作成して外部サーバ２０にアップロードするときの映像表示部１４のイメージ図である。画質調整情報アップロード手段Ｕとしては、例えば、画質調整情報取得手段Ｄとして考えられる手段と同様のものが挙げられる。
【００６６】
画質調整情報作成手段により作成され、画質調整情報アップロード手段Ｕを介して外部サーバ２０にアップロードされた画質調整情報Ｇは、外部サーバ２０に保管された他の画質調整情報Ｇと同様に、他のユーザーがダウンロード可能な画質調整情報Ｇとして保管される。ある１つの映像コンテンツに対して複数の画質調整情報Ｇが存在する場合には、視聴するユーザーに複数の画質調整情報Ｇを示すことにより、視聴ユーザーが自分の好みに適した画質調整情報Ｇを選択することができる。
【００６７】
なお、外部サーバ２０に複数の画質調整情報Ｇが存在する場合、その画質調整情報Ｇがダウンロードされた回数を集計することにより、画質調整情報Ｇにダウンロード回数の多い順のランキングのパラメータを付加することができる。
【００６８】
図９に、「ユーザー１」が作成して外部サーバ２０にアップロードしたＸＭＬ形式の画質調整情報Ｇの例を示す。この画質調整情報Ｇは、タイトル（ｔｉｔｌｅ）が「崖っぷちのぷにょ」である映像コンテンツのものであり、ランキング（ｕｓｅｒｒａｎｋｉｎｇ）が１位であることが記載され、画質の調整に関しては、明るさ（ｂｒｉｇｈｔｎｅｓｓ）、シャープネス（ｓｈａｒｐｎｅｓｓ）、黒レベル（ｂｌａｃｋｌｅｖｅｌ）、及び、色温度（ｃｏｌｏｒｔｅｍｐｅｒａｔｕｒｅ）のそれぞれについてパラメータが規定されている。なお、ここでは、ランキング情報が「ｕｓｅｒｒａｎｋｉｎｇ」のパラメータで表示されるとしているが、特にこれに限られない。
【００６９】
画質調整情報Ｇにランキング情報が付加されている場合、例えば図１０に示すように、視聴するユーザーに対して複数の画質調整情報Ｇを呈示するのみならず、ランキング上位の画質調整情報Ｇを「オススメ」として示すことにより、視聴するユーザーが複数の画質調整情報Ｇの中から選択するのが容易になる。
【００７０】
（実施形態２の効果）
映像表示装置１０の画質調整の操作に慣れたハイエンドユーザーにとっては、自動的に配信される画質調整情報Ｇにより自動的に画質調整された映像を視聴するよりも、ハイエンドユーザー自身で画質調整を行った方が、自分の好みに適合した画質で映像を楽しむことができる。本実施形態の画質調整装置Ｔを備えた映像表示装置１０によれば、ハイエンドユーザーが自ら画質の調整を行うことにより、画質調整情報作成手段により、視聴している映像コンテンツに画質調整に関する各パラメータを含めた画質調整情報Ｇを作成することができる。ハイエンドユーザーは、作成した画質調整情報Ｇを外部サーバ２０にアップロードすることで、他のユーザーとの間でその画質調整情報Ｇを共有することができる。このため、画質調整情報Ｇがまだ作成されていない映像コンテンツであっても、ハイエンドユーザーが作成した画質調整情報Ｇで補填していくことが可能である。
【００７１】
また、複数のハイエンドユーザーが、ある映像コンテンツに対して各々が最適だと考える画質調整情報Ｇを作成して外部サーバ２０にアップロードすることにより、外部サーバ２０上には１つの映像コンテンツに対して複数の画質調整情報Ｇが存在することとなるが、他のユーザーは、この複数の画質調整情報Ｇの中から、より自分の好みに合った画質調整情報Ｇを選択して映像コンテンツを楽しむことができる。
【００７２】
また、１つの映像コンテンツに対して複数の画質調整情報Ｇが存在し、外部サーバ２０から画質調整情報Ｇがダウンロードされた回数を集計して画質調整情報Ｇにランキング情報を付加する場合、視聴するユーザーに、複数の画質調整情報Ｇのうち人気度の高いものを呈示することができるので、視聴ユーザーが複数の画像調整情報Ｇの中から最も適していると考えられる画質調整情報Ｇを容易に選択できる。
【００７３】
《実施形態３》
図１１は、実施形態３にかかる映像再生装置５０のシステムを示すブロック図である。なお、他の実施形態と同一の構成及び対応する構成については同一の参照符号を用いて説明する。
【００７４】
映像再生装置５０は、ＤＶＤ（Ｄｉｇｉｔａｌ  Ｖｅｒｓａｔｉｌｅ  Ｄｉｓｋ）やブルーレイディスク（Ｂｌｕ−ｒａｙ  Ｄｉｓｃ（登録商標））等の光ディスクを再生部５１で再生し、外部に取り付けられた映像表示装置６０に映像の出力を行う、ＤＶＤ再生装置やブルーレイディスク再生装置である。
【００７５】
映像再生装置５０は、実施形態１と同様に、光ディスクを再生する再生部５１と、受信したデジタル放送波の符号を復号化するデコード部５２と、デコード部５２で復号された音声データや映像データ等の処理を行う画像エンジン５３と、映像表示装置６０へ出力する映像の画質の調整を行う画質調整装置Ｔと、を備える。画質調整装置Ｔは、画像エンジン５３内に設けられた画質調整部５５と、画質調整情報蓄積部５６と、外部サーバ２０から画質調整情報を取得する画質調整情報取得手段Ｄを備える。
【００７６】
この映像再生装置５０内に設けられた画質調整装置Ｔは、図１２のフローチャートに示すように、ユーザーが特別な操作をすることなく自動的に画質の調整を行うことができる。
【００７７】
まず、ステップＳ１’において、再生部５１で光ディスクを再生する。このデジタル放送波は、ステップＳ２においてデコード部５２で復号され、映像データ、音声データ、コンテンツ情報等のデータが生成される。そして、デコード部５２で生成された各データは画像エンジン５３に送られて、ステップＳ３において、データ処理されて映像が構成され、その映像が外部に接続された映像表示装置６０に送られて映像表示部６１で表示されると同時に、コンテンツ情報からタイトルやジャンル等の情報が画質調整部５５に読み込まれる。
【００７８】
以下、自動的に画質調整を行うステップＳ４〜Ｓ１４については、実施形態１と同様である。
【００７９】
（実施形態３の効果）
本実施形態の画質調整装置Ｔを備えた映像再生装置５０によれば、ユーザーが特別な操作をすることなく自動的に、外部の映像表示装置６０に出力する映像の画質を調整することができる。
【００８０】
（実施形態３の変形例）
実施形態３では、再生部５１においてＤＶＤやブルーレイディスク等の光ディスクの再生を行うとしたが、特にこれに限られない。例えば、映像再生装置５０が映像コンテンツを録画するハードディスクをさらに備えている場合には、そのハードディスクに録画された映像コンテンツを、再生部５１において再生し、画質調整装置Ｔにおいて映像表示装置６０に出力する映像の画質の調整を行ってもよい。
【００８１】
映像再生装置５０は、図１３の変形例４に示すように、デジタル放送波等の放送受信部１１と光ディスク等の再生部５１の両方を備えていてもよい。この場合、映像再生装置５０は、画像エンジン５３で構成され画質調整装置Ｔにより画質の調整が行われた映像を表示する映像表示部５４をさらに備えている。具体的には、テレビジョン受信機にＤＶＤプレーヤーやブルーレイディスクプレーヤー等の再生装置が内蔵されている場合がこれに該当する。
【００８２】
また、映像再生装置５０は、図１４の変形例５に示すように、デジタル放送波等の放送受信部１１と光ディスク等の再生部５１の両方を備え、しかも、画質調整装置Ｔが、実施形態２で説明した画質調整装置Ｔのように、リモコン５７等を用いて入力された各パラメータに基づいて画質調整情報作成手段により作成された画質調整情報Ｇを外部サーバ２０にアップロードする画質調整情報アップロード手段Ｕを備えていてもよい。
【００８３】
なお、上記変形例４及び５では、放送受信部１１や映像表示部５４をさらに備えた映像再生装置５０として説明したが、再生部５１をさらに備えた映像表示装置１０としても（つまり、実施形態１や２で説明した映像表示装置１０の変形例として捉えても）、実質的には同じことである。
【産業上の利用可能性】
【００８４】
本発明は、自動的に表示映像の画質の調整を行うことが可能な画質調整装置、並びに、それを備えた映像表示装置及び映像再生装置について有用である。
【符号の説明】
【００８５】
Ｄ          画質調整情報取得手段
Ｇ          画質調整情報
Ｔ          画質調整装置
Ｕ          画質調整情報アップロード手段
１０        映像表示装置
１４        映像表示部
１５，５５  画質調整部
１６，５６  画質調整情報蓄積部
２０        外部サーバ
３０        パソコン端末
４０        モバイル端末
５０        映像再生装置
【図１】
2012015877.tif 000003
【図２】
2012015877.tif 000004
【図３】
2012015877.tif 000005
【図４】
2012015877.tif 000006
【図５】
2012015877.tif 000007
【図６】
2012015877.tif 000008
【図７】
2012015877.tif 000009
【図８】
2012015877.tif 000010
【図９】
2012015877.tif 000011
【図１０】
2012015877.tif 000012
【図１１】
2012015877.tif 000013
【図１２】
2012015877.tif 000014
【図１３】
2012015877.tif 000015
【図１４】
2012015877.tif 000016